(57)【要約】【課題】水を溜める貯水部分の容積が小さく、水を溜めた状態でも安全に且つ容易に持ち運ぶことができると共に、モップを絞る際にも、内部に溜めた水をこぼすことなく安定してモップを絞ることができるモップ洗浄用バケツを提供すること。【解決手段】バケツ本体部に底壁を隆起させた隆起部を形成し、同隆起部の頂上部に、モップを押し付けて絞るためのモップ絞り部を形成し、同モップ絞り部の前後端に滑り止め用の突出部を設けた。【選択図】    図１
2004230052.tif 000002
【特許請求の範囲】
【請求項１】
バケツ本体部に底壁を隆起させた隆起部を形成し、同隆起部の頂上部に、モップを押し付けて絞るためのモップ絞り部を形成し、同モップ絞り部の前後端に滑り止め用の突出部を設けたことを特徴とするモップ洗浄用バケツ。
【請求項２】
前記モップ絞り部は、左右端のいずれか一方が前記バケツ本体部の側壁に連設しており、モップ絞り部によって、バケツ本体部の内側に形成される貯水部を流通可能に二分するようにしたことを特徴とする請求項１記載のモップ洗浄用バケツ。
【請求項３】
前記モップ絞り部によって流通可能に二分される貯水部のうち、一方のみがモップを収容可能な大きさであることを特徴とする請求項２記載のモップ洗浄用バケツ。
【発明の詳細な説明】
【０００１】
【発明の属する技術分野】
本発明は、モップ洗浄用バケツに関するものである。
【０００２】
【従来の技術】
従来、モップを絞る機能を有するモップ洗浄用バケツにおいては、上方開口に形成されたバケツ本体部の開口縁部に、モップを押し付けて絞るためのモップ絞り部材を架設して、同モップ絞り部材にモップを押し付けてモップを絞るようにしていた（例えば、特許文献１及び２参照。）。
【０００３】
また、バケツ本体部に取り付けた把手部に、モップを押し付けて絞るためのモップ絞り部を設けて、同モップ絞り部にモップを押し付けてモップを絞るようにしたものもあった。（例えば、特許文献３参照。）。
【０００４】
【特許文献１】
特表２０００−５１６１１５号公報
【０００５】
【特許文献２】
特表平８−５０５２９７号公報
【０００６】
【特許文献３】
特開２０００−６０７８５号公報
【０００７】
【発明が解決しようとする課題】
しかし、上記従来のモップ洗浄用バケツにおいては、モップを絞るべくモップを押し付けた際に、構造上不安定なバケツ本体部の開口縁部や把手部に大きな圧力がかかることとなり、バケツが破損しやすいだけでなく、安定してモップを絞ることができなかった。
【０００８】
しかも、モップを収容可能とすべくバケツ本体部が大きくなり、それに伴ってバケツ本体部の内側に形成される貯水部の容積も大きくなって、貯水部に水を収容した状態でバケツを持ち運びするのが重労働となっていた。
【０００９】
【課題を解決するための手段】
そこで、請求項１記載の本発明では、バケツ本体部に底壁を隆起させた隆起部を形成し、同隆起部の頂上部に、モップを押し付けて絞るためのモップ絞り部を形成し、同モップ絞り部の前後端に滑り止め用の突出部を設けることにした。
【００１０】
また、請求項２記載の本発明では、前記モップ絞り部は、左右端のいずれか一方が前記バケツ本体部の側壁に連設しており、モップ絞り部によって、バケツ本体部の内側に形成される貯水部を流通可能に二分するようにした。
【００１１】
また、請求項３記載の本発明では、前記モップ絞り部によって流通可能に二分される貯水部のうち、一方のみがモップを収容可能な大きさであることにした。
【００１２】
【発明の実施の形態】
本発明に係るモップ洗浄用バケツは、バケツ本体部を設けると共に、同バケツ本体部の底壁を隆起させて隆起部を形成し、同隆起部の頂上部にモップを押し付けて絞るためのモップ絞り部を設けている。しかも、前記モップ絞り部の前後端には、滑り止め用の突出部を設けている。
【００１３】
従って、本モップ洗浄用バケツにおいては、負荷のかかるモップ絞り部をバケツ本体部の底壁から隆起させた隆起部で確実に支持することができ、安定してモップを絞ることができる。
【００１４】
しかも、滑り止め用の突出部でモップを受け止めて、モップ絞り部からモップが滑り落ちるのを防止することができるので、一層安定してモップを絞ることができる。
【００１５】
さらに、モップ絞り部を設けるべくバケツ本体部の底壁を隆起させたので、隆起させた分だけバケツ本体部の内側に形成される貯水部の容積を小さくすることができ、貯水部に水を収容した際の全体重量を軽くすることができる。そのため、本モップ洗浄用バケツは、貯水部に水を収容したままでも容易に持ち運びすることができる。
【００１６】
上記モップ絞り部は、左右端のいずれか一方を前記バケツ本体部の側壁に連設するのが望ましく、かかる構成とすれば、バケツ本体部の側壁によってもモップ絞り部を支持することができ、一層安定してモップを絞ることができる。
【００１７】
しかも、モップ絞り部によって、バケツ本体部の内側に形成される貯水部を流通可能に二分することができるので、貯水部が完全に区分されず、バケツ本体部をいずれの方向に傾けても貯水部に収容した水を全て排出することができ、作業性が良好である。
【００１８】
さらに、上記モップ絞り部によって流通可能に二分される貯水部のうち、一方のみがモップを収容可能な大きさとなるようにすれば、貯水部にモップを挿入してモップを洗浄することができるのはもちろんのこと、バケツをコンパクトに形成して、貯水部の容積をさらに小さくすることができ、貯水部に水を収容した場合の全体重量をさらに軽くして、貯水部に水を収容した状態であっても一層容易に持ち運びを行えるようにすることができる。
【００１９】
なお、上記モップ絞り部には、前後方向に伸延する排水溝を設けることもでき、かかる排水溝を設ければ、モップ絞り部上に排出された汚水を前記排水溝を通して貯水部に排水することができ、効率よくモップを絞ることができる。
【００２０】
特に、排水溝の前後端部を下方に傾斜させれば、排水溝に流入した汚水を貯水部に円滑に流下、排水することができ、モップ絞り部の排水性を向上させることができる。
【００２１】
【実施例】
以下、本発明に係るモップ洗浄用バケツの一実施例を図面に基づき説明する。
【００２２】
図１は本発明に係るモップ洗浄用バケツの一実施例の斜視図、図２は同平面図、図３は同Ｉ−Ｉ線における断面図、図４は同ＩＩ−ＩＩ線における断面図である。
【００２３】
図１に示すように、本実施例におけるモップ洗浄用バケツＡは、上部開口のバケツ本体部１と、同バケツ本体部１の底壁１ｅを隆起させて形成した隆起部２と、同隆起部２の頂上部２ａに設けたモップ絞り部３と、前記バケツ本体部１の側壁に取り付けた把手部４とからなる。
【００２４】
前記バケツ本体部１は、左・右側壁１ａ，１ｂと前・後側壁１ｃ，１ｄと底壁１ｅとから平面視略矩形状に形成しており、同バケツ本体部１の底壁１ｅの一部を左側壁１ａから右側壁１ｂの手前にかけて帯状に隆起させて隆起部２としている。
【００２５】
すなわち、隆起部２は、左右方向に伸延すると共に、左端がバケツ本体部１の左側壁１ａに連設し、右端がバケツ本体部１の内側に位置している。そして、隆起部２が連設するバケツ本体部１の左側壁１ａは、図１に示すように、隆起部２の形状に沿ってアーチ状に開口している。
【００２６】
上記隆起部２は、図３に示すように、バケツ本体部１の高さの略３分の２まで隆起させて、その頂上部２ａの形状を平面視略矩形状の面状に形成している。この頂上部２ａがモップ絞り部３となる。
【００２７】
上記モップ絞り部３には、前後端に滑り止め用突出部３ａを設けている。特に、本実施例では、モップ絞り部３の略中央部から前端及び後端に向かって滑らかに突出させることにより滑り止め用突出部３ａを形成しており、図４に示すように、モップ絞り部３が断面視円弧状の凹部となっている。従って、例えモップ絞り部３に汚れやゴミが付着したとしても容易に洗い落とすことができる。
【００２８】
また、モップ絞り部３には、前端から後端にかけて複数の排水溝３ｂを伸延させており、同排水溝３ｂの前後端は、下方に向かって傾斜させている。従って、排水溝３ｂは、図４に示すように断面視山形状となっており、排水溝３ｂの内部の水を円滑に流下させることができる。
【００２９】
上記モップ絞り部３により略コ字状に二分されるバケツ本体部１の内側の空間は、水を溜めるための貯水部５となる。このとき、貯水部５に貯水される水の液面は、モップ絞り部３よりも下方となる。本実施例では、前述の如く隆起部２をバケツ本体部１の高さの略３分の２まで隆起させているので、貯水部５に溜める水の液面も、バケツ本体部１の高さの略３分の２より低い位置となる。
【００３０】
また、本実施例では、図２に示すように、二分される貯水部５のうち、一方のみをモップを収容可能な大きさに形成して第１貯水部５ａとすると共に、他方を第２貯水部５ｂとしている。
【００３１】
上記バケツ本体部１と隆起部２とモップ絞り部３とは一体形成しており、モップを絞る際にモップ絞り部３に負荷がかかったとしても、それに耐えうる丈夫で耐久性のある構造にしている。しかも、このようにバケツ本体部１と隆起部２とモップ絞り部３とを一体形成することにより、別部材を取り付ける手間を省くことができるので、製造コストを削減することができる。前記把手部４は、このうちバケツ本体部１の左・右側壁１ａ，１ｂに連設している。
【００３２】
把手部４は、略Ｕ字状に形成した２本の把手４ａ，４ａからなり、一方をバケツ本体部１の前側壁１ｃ側に配置すると共に、他方をバケツ本体部１の後側壁１ｄ側に配置している。そして、それぞれ一端をバケツ本体部１の左側壁１ａに、他端をバケツ本体部１の右側壁１ｂに回動自在に取り付けている。
【００３３】
上記構成からなるモップ洗浄用バケツＡによりモップを洗浄する場合には、本モップ洗浄用バケツＡの貯水部５に水を貯水すると共に、同貯水部５にモップの先端部を挿入し、モップを濯ぐ。また、本モップ洗浄用バケツＡのモップ絞り部３にモップの先端部を押し付けて、モップに吸収されている水分を絞り出す。
【００３４】
このとき、本実施例では、モップ絞り部３をバケツ本体部１の底壁１ｅより隆起させた隆起部２の頂上部２ａに設けているので、モップ絞り部３にかかる圧力を安定して受け止めることができ、力を込めてモップ絞り部３にモップを押し付けることができる。
【００３５】
特に、モップ絞り部３には、前後端に滑り止め用突出部３ａを設けているので、同滑り止め用突出部３ａでモップを受け止めて、モップ絞り部３からモップが滑り落ちるのを防止することができ、より安定してモップを絞ることができる。
【００３６】
しかも、モップ絞り部３の前後両方向に貯水部５を形成しているので、バケツ本体部１の安定性が良く、モップをモップ絞り部３に押し付けた際にも、良好にバランスを保ってバケツＡ全体が傾倒するのを防ぐことができる。
【００３７】
また、上述の如くモップ絞り部３の前後両方向に貯水部５（５ａ，５ｂ）を形成していることにより、モップより絞り出された汚水をモップ絞り部３の前後両方向の貯水部５（５ａ，５ｂ）に流下させて、効率よく排水を行うことができる。
【００３８】
特に、モップ絞り部３には、所定間隔毎に複数の排水溝３ｂを設けているので、モップ絞り部３上の水も排水溝３ｂを通して貯水部５に排水することができ、モップ絞り部３に水が溜まるのを防止して、効率よくモップを絞ることができる。
【００３９】
また、本実施例では、隆起部２をバケツ本体部１の高さの略３分の２まで隆起させて、同隆起部２の頂上部２ａに設けたモップ絞り部３を、バケツ本体部１の上端よりも下方に位置させているので、モップを絞る際にモップより飛散した汚水を、モップ絞り部３よりも上方に位置するバケツ本体部１の四方の側壁１ａ，１ｂ，１ｃ，１ｄで受け止めて、汚水がバケツ本体部１の外側に飛び散るのを防止することができる。
【００４０】
また、上述の如く貯水部５に水を溜めた状態のモップ洗浄用バケツＡを持ち運ぶ際にも、本モップ洗浄用バケツＡは、貯水部５の容積が小さくなるように形成しているので、多量の水が貯水部５に貯水されてバケツＡが重たくなることがなく、容易に持ち運びを行うことができる。
【００４１】
しかも、本モップ洗浄用バケツＡには、前側壁１ｃ側と後側壁１ｄ側との両方に把手４ａを設けているので、２本の把手４ａ，４ａでモップ洗浄用バケツＡを左右バランス良く支持して、安全に持ち運ぶことができる。
【００４２】
また、貯水部５は、モップ絞り部３によって二分されるものの、完全に区切られているわけではないので、貯水部５に溜まった水を排水するに際しては、バケツをいずれか一方に傾けるだけで全てを排水することができ、作業性が良好である。
【００４３】
【発明の効果】
本発明は上記のような形態で実施されるもので、以下の効果を奏する。
（１）請求項１記載の本発明では、バケツ本体部に底壁を隆起させた隆起部を形成し、同隆起部の頂上部に、モップを押し付けて絞るためのモップ絞り部を形成し、同モップ絞り部の前後端に滑り止め用の突出部を設けることにしたので、負荷のかかるモップ絞り部を確実に支持して、安定してモップを絞ることができる。しかも、滑り止め用の突出部でモップを受け止めて、モップ絞り部からモップが滑り落ちるのを防止することができるので、一層安定してモップを絞ることができる。また、モップ絞り部を設けるべくバケツ本体部の底壁を隆起させたことにより、バケツ本体部の内側に形成される貯水部の容積を小さくすることができるので、貯水部に水を収容した場合のバケツの重量を軽くすることができ、貯水部に水を収容したままでも持ち運びを容易に行えるようにすることができる。
（２）請求項２記載の本発明では、前記モップ絞り部は、左右端のいずれか一方が前記バケツ本体部の側壁に連設しており、モップ絞り部によって、バケツ本体部の内側に形成される貯水部を流通可能に二分するようにしたので、バケツ本体部の側壁によってもモップ絞り部を支持することができ、一層安定してモップを絞ることができる。しかも、モップ絞り部は、貯水部を完全に区切っているわけではないので、貯水部に収容した水は、バケツ本体部をいずれの方向に傾けても全て排出することができ、作業性が良好である。
（３）請求項３記載の本発明では、前記モップ絞り部によって流通可能に二分される貯水部のうち、一方のみがモップを収容可能な大きさであることにしたので、貯水部にモップを挿入してモップを洗浄することができるのはもちろんのこと、バケツをコンパクトに形成して、貯水部の容積を小さくすることができる。そのため、貯水部に水を収容した場合のバケツの重量を一層軽くして、貯水部に水を収容した状態での持ち運びを一層容易に行えるようにすることができる。
【図面の簡単な説明】
【図１】本発明に係るモップ洗浄用バケツの一実施例の斜視図である。
【図２】同平面図である。
【図３】同Ｉ−Ｉ線における断面図である。
【図４】同ＩＩ−ＩＩ線における断面図である。
【符号の説明】
Ａ  モップ洗浄用バケツ
１  バケツ本体部
１ａ  左側壁
１ｂ  右側壁
１ｃ  前側壁
１ｄ  後側壁
１ｅ  底壁
２  隆起部
２ａ  頂上部
３  モップ絞り部
３ａ  滑り止め用突出部
３ｂ  排水溝
４  把手部
４ａ  把手
５  貯水部
５ａ  第１貯水部
５ｂ  第２貯水部
【図１】
2004230052.tif 000003
【図２】
2004230052.tif 000004
【図３】
2004230052.tif 000005
【図４】
2004230052.tif 000006